(57)【要約】【課題】ハードウェア構成ネットワークを提供すること。【解決手段】ハードウェア構成光ネットワークのための光ネットワーク要素は、ハードウェア構成光ネットワークからの受信制御情報を含む入力光信号を受信する、第１の光ポートを含む。第１の光ポートに光結合されるデモジュレータは、光ネットワーク要素を構成するために、受信制御情報をデコードする。伝送制御情報を受信する電気変調入力を有するモジュレータは、変調を光キャリヤ上において行い、それによって、伝送制御情報を表す伝送光制御信号を生成する。第２の光ポートは、伝送制御情報を表す伝送光制御信号をハードウェア構成光ネットワークに伝送する。【選択図】図８
2020036369.tif 000002
【特許請求の範囲】
【請求項１】
本明細書に記載の発明。
【発明の詳細な説明】
【背景技術】
【０００１】
本明細書で使用される見出しは、編成目的のためだけのものであり、本願に説明される主題をいかようにも限定するものとして解釈されるべきではない。
【０００２】
（導入）
光ファイバを通した高容量データ伝送の高まる必要性は、柔軟かつ動的に一緒にネットワーク化されている光ネットワーク要素の増加する数とともに、光ファイバ電気通信産業に有意な課題を提示する。例えば、より高容量の需要は、より多くの送受信機波長が、スペクトルドメイン内で一緒により緊密に間隔を置かれ、より高容量を単一ファイバまたは接続上で提供することを要求する。これらの高容量かつ多チャネル数システムは、送受信機を制御するために、よりリアルタイムの性能データ監視を求める。さらに、これらの高容量かつ多チャネル数システムのために必要とされる送受信機の数が多いほど、信頼性を改良し、ヒトによる操作を低減させるために、送受信機構成のさらなる自動化が求められる。加えて、送受信機、増幅器、波長フィルタ、波長マルチプレクサ、波長デマルチプレクタ、クロスコネクト装置、光スイッチ、受動スプリッタ、およびコンバイナを含む増加した数ならびに多様な光要素を含むようにネットワークを構成することは、多様な光要素タイプにわたって動作することが可能な自動化および制御スキームを求める。
【０００３】
高容量かつ多チャネル数システムのために、ネットワーク調整中、および進行動作中、ネットワーク運営人員にかかる負担を低減させるために、ネットワーク要素が自己プロビジョニングおよび自己監視することを可能にする自動化された構成を有することが望ましい。自動化は、より大規模な光ネットワークが構築され、より低コストで動作させられることを可能にする。
【０００４】
高容量かつ多チャネル数光通信システムのために、改良されたネットワーク柔軟性および帯域幅利用を提供する動的かつ再構成可能光ネットワークを有することも望ましい。これらの光通信システムは、多くの場合、変化する状態およびデータトラフィック需要に反応して、リアルタイム構成を求める。加えて、動的トラフィックルーティングのためのサポートは、送受信機および波長選択スイッチ（ＷＳＳ）波長を調整するための高度な波長ならびにチャネル監視を要求する。
【０００５】
さらに、光通信システムを高容量かつ多チャネル数を達成するようにスケーリングすることは、拡張された構成能力が、現在展開されている光通信のものと同一、またはそれより小さい占有面積内に提供されることを要求する。したがって、構成方法および装置のために、既存のネットワーク要素コンポーネントを再使用し、および／またはそれに大きく頼ることが望ましい。
【発明の概要】
【課題を解決するための手段】
【０００６】
本願明細書は、例えば、以下の項目も提供する。
（項目１）
ハードウェア構成光ネットワークのための光ネットワーク要素であって、前記光ネットワーク要素は、
ａ）受信制御情報を含む入力光信号を前記ハードウェア構成光ネットワークから受信する第１の光ポートと、
ｂ）前記第１の光ポートに光結合されている入力を有するデモジュレータであって、前記デモジュレータは、前記光ネットワーク要素を構成するために、前記受信制御情報をデコードする、デモジュレータと、
ｃ）伝送制御情報を受信する電気変調入力を有するモジュレータであって、前記モジュレータは、変調を光キャリヤ上において行い、それによって、前記伝送制御情報を表す伝送光制御信号を生成する、モジュレータと、
ｄ）前記伝送制御情報を表す前記伝送光制御信号を前記ハードウェア構成光ネットワークに伝送する第２の光ポートと
を備えている、光ネットワーク要素。
（項目２）
前記光キャリヤは、クライアントデータトラフィック、ダミートラフィック、ＣＷ光信号、および自然放射増幅光のうちの少なくとも１つを含む、項目１に記載の光ネットワーク要素。
（項目３）
前記光キャリヤは、複数の波長のうちの１つを含む、項目１に記載の光ネットワーク要素。
（項目４）
前記光キャリヤは、波長のバンドを含む、項目１に記載の光ネットワーク要素。
（項目５）
前記受信制御情報は、前記入力光信号上において振幅変調されている、項目１に記載の光ネットワーク要素。
（項目６）
前記受信制御情報は、前記入力光信号上において位相変調されている、項目１に記載の光ネットワーク要素。
（項目７）
前記モジュレータは、振幅変調を前記光キャリヤ上において行い、それによって、前記電気伝送制御情報を表す振幅変調された伝送光制御信号を生成する、項目１に記載の光ネットワーク要素。
（項目８）
前記モジュレータは、位相変調を前記光キャリヤ上において行い、それによって、前記電気伝送制御情報を表す位相変調された伝送光制御信号を生成する、項目１に記載の光ネットワーク要素。
（項目９）
前記受信制御情報の変調周波数は、前記光信号上のクライアントデータ変調の周波数未満である、項目１に記載の光ネットワーク要素。
（項目１０）
前記伝送光制御信号の変調周波数は、前記光信号上のクライアントデータ変調の周波数未満である、項目１に記載の光ネットワーク要素。
（項目１１）
前記光ネットワーク要素は、波長選択スイッチを備えている、項目１に記載の光ネットワーク要素。
（項目１２）
前記光ネットワーク要素は、光チャネルモニタを備えている、項目１に記載の光ネットワーク要素。
（項目１３）
前記光ネットワーク要素は、光増幅器を備えている、項目１に記載の光ネットワーク要素。
（項目１４）
前記光ネットワーク要素は、プログラマブルフィルタを備えている、項目１に記載の光ネットワーク要素。
（項目１５）
前記光ネットワーク要素は、送受信機を備えている、項目１に記載の光ネットワーク要素。
（項目１６）
前記光ネットワーク要素は、波長マルチプレクサ／デマルチプレクサを備えている、項目１に記載の光ネットワーク要素。
（項目１７）
前記光ネットワーク要素は、波長クロスコネクト装置を備えている、項目１に記載の光ネットワーク要素。
（項目１８）
前記光キャリヤは、前記光ネットワーク要素によって生成される、項目１に記載の光ネットワーク要素。
（項目１９）
前記受信および前記伝送制御情報のうちの少なくとも１つは、デジタル診断データを含む、項目１に記載の光ネットワーク要素。
（項目２０）
前記デジタル診断データは、送信機チャネル識別番号、受信機チャネル識別番号、光チャネルモニタ較正データ、光ネットワーク要素較正データ、および光要素アラーム閾値データのうちの少なくとも１つを含む、項目１９に記載の光ネットワーク要素。
（項目２１）
前記第１の光ポートと前記第２の光ポートとは、同一の光ポートである、項目１に記載の光ネットワーク要素。
（項目２２）
前記ハードウェア構成ネットワークを構成するための前記伝送制御情報を受信する電子ポートをさらに備えている、項目１に記載の光ネットワーク要素。
（項目２３）
前記デコードされた受信制御情報を受信し、前記デコードされた制御情報に応答して、前記光ネットワーク要素を構成する制御プロセッサをさらに備えている、項目１に記載の光ネットワーク要素。
（項目２４）
ハードウェア構成光ネットワークのための光ネットワーク要素であって、前記光ネットワーク要素は、
ａ）入力光信号を前記ハードウェア構成光ネットワークから受信する第１の光ポートと、
ｂ）伝送制御情報を受信する電気変調入力を有するモジュレータであって、前記モジュレータは、変調を前記入力光信号上において行い、それによって、前記伝送制御情報を表す伝送光制御信号を生成する、モジュレータと、
ｃ）前記伝送制御情報を表す前記伝送光制御信号を前記ハードウェア構成光ネットワークに伝送する第２の光ポートと
を備えている、光ネットワーク要素。
（項目２５）
前記入力光信号は、クライアントデータトラフィック、ダミートラフィック、ＣＷ光信号、および自然放射増幅光のうちの少なくとも１つを含む、項目２４に記載の光ネットワーク要素。
（項目２６）
前記入力光信号は、複数の波長のうちの１つを含む、項目２４に記載の光ネットワーク要素。
（項目２７）
前記入力光信号は、波長のバンドを含む、項目２４に記載の光ネットワーク要素。
（項目２８）
前記モジュレータは、振幅変調を前記入力光信号上において行い、それによって、前記電気伝送制御情報を表す振幅変調された伝送光制御信号を生成する、項目２４に記載の光ネットワーク要素。
（項目２９）
前記モジュレータは、位相変調を前記入力光信号上において行い、それによって、前記電気伝送制御情報を表す位相変調された伝送光制御信号を生成する、項目２４に記載の光ネットワーク要素。
（項目３０）
前記伝送光制御信号の変調周波数は、前記入力光信号上のクライアントデータ変調の周波数未満である、項目２４に記載の光ネットワーク要素。
（項目３１）
前記伝送制御情報は、デジタル診断データを含む、項目２４に記載の光ネットワーク要素。
（項目３２）
前記デジタル診断データは、送信機チャネル識別番号、受信機チャネル識別番号、光チャネルモニタ較正データ、光ネットワーク要素較正データ、および光要素アラーム閾値データのうちの少なくとも１つを含む、項目３１に記載の光ネットワーク要素。
（項目３３）
ハードウェア構成光ネットワークにおける光ネットワーク要素を構成する方法であって、前記方法は、
ａ）受信制御情報を含む光信号を前記ハードウェア構成光ネットワークから受信することと、
ｂ）前記ハードウェア構成光ネットワークからの前記受信制御情報を復調することと、
ｃ）前記復調された受信制御情報に従って、前記光ネットワーク要素を構成することと、
ｄ）光キャリヤ上において伝送制御情報を変調し、それによって、前記伝送制御情報を表す伝送光制御信号を生成することと、
ｅ）前記光キャリヤ上において前記伝送制御情報を表す前記伝送光制御信号を前記ハードウェア構成ネットワークに伝送することと
を含む、方法。
（項目３４）
前記光キャリヤ上において伝送制御情報を変調することは、ダミートラフィック、ＣＷ光信号、および自然放射増幅光のうちの少なくとも１つから前記光キャリヤを生成することを含む、項目３３に記載の方法。
（項目３５）
前記光キャリヤ上において伝送制御情報を変調することは、複数の波長のうちの１つから前記光キャリヤを生成することを含む、項目３３に記載の方法。
（項目３６）
前記光キャリヤ上において伝送制御情報を変調することは、前記受信された光信号の複数の波長のうちの１つから前記光キャリヤを生成することを含む、項目３３に記載の方法。
（項目３７）
前記ハードウェア構成光ネットワークからの前記受信制御情報は、振幅変調されている、項目３３に記載の方法。
（項目３８）
前記ハードウェア構成光ネットワークからの前記受信制御情報は、位相変調されている、項目３３に記載の方法。
（項目３９）
前記伝送制御情報を変調することは、前記伝送制御情報を振幅変調することを含む、項目３３に記載の方法。
（項目４０）
前記伝送制御情報を変調することは、前記伝送制御情報を位相変調することを含む、項目３３に記載の方法。
（項目４１）
前記ハードウェア構成光ネットワークからの前記受信制御情報の変調周波数は、前記光ネットワーク上のクライアントデータ変調の周波数未満である、項目３３に記載の方法。（項目４２）
前記受信された光信号を増幅し、受信制御情報および伝送制御情報のうちの少なくとも１つを伴う前記増幅された受信信号を前記ハードウェア構成ネットワークに伝送することをさらに含む、項目３３に記載の方法。
（項目４３）
前記受信された光信号の一部を監視し、前記受信信号の残りの部分を前記ハードウェア構成ネットワークに伝送することをさらに含む、項目３３に記載の方法。
（項目４４）
前記受信された光信号の波長を前記ハードウェア構成ネットワーク内の特定のチャネルに切り替えることをさらに含む、項目３３に記載の方法。
（項目４５）
前記受信された光信号の波長を前記ハードウェア構成ネットワーク内の特定のチャネルに多重化／逆多重化することをさらに含む、項目３３に記載の方法。
（項目４６）
前記光ネットワーク要素を用いて前記光キャリヤを生成することをさらに含む、項目３３に記載の方法。
（項目４７）
前記光キャリヤ上においてデジタル診断データを変調することをさらに含む、項目３３に記載の方法。
（項目４８）
前記デジタル診断データは、ハードウェア識別番号、光チャネルモニタ較正データ、光ネットワーク要素較正データ、および光要素アラーム閾値データのうちの少なくとも１つを含む、項目４７に記載の方法。
（項目４９）
ハードウェア構成光ネットワークにおける光ネットワーク要素を構成する方法であって、前記方法は、
ａ）受信制御情報を含む光信号を前記ハードウェア構成光ネットワークから受信することと、
ｂ）前記ハードウェア構成光ネットワークからの前記受信制御情報を復調することと、
ｃ）前記復調された受信制御情報から前記ハードウェア構成光ネットワーク内のエラー状態を検出することと、
ｄ）前記ハードウェア構成光ネットワーク内の前記エラー状態を是正する構成情報を含む伝送制御情報を生成することと、
ｅ）光キャリヤ上において伝送制御情報を変調し、それによって、前記ハードウェア構成光ネットワーク内の前記エラー状態を是正する構成情報を含む前記伝送制御情報を表す伝送光制御信号を生成することと、
ｆ）前記光キャリヤ上において、前記ハードウェア構成光ネットワーク内の前記エラー状態を是正する構成情報を含む前記伝送制御情報を表す前記伝送光制御信号を前記ハードウェア構成ネットワークに伝送することと
を含む、方法。
（項目５０）
ａ）第２の光ネットワーク要素において、前記ハードウェア構成光ネットワーク内の前記エラー状態を是正する構成情報を含む前記伝送光制御信号を受信することと、
ｂ）第２の光ネットワーク要素において、前記エラー状態を是正する構成情報を含む前記受信された制御情報を復調することと、
ｃ）前記エラー状態を是正する前記復調された受信制御情報構成情報に従って、前記第２の光ネットワーク要素を再構成し、それによって、前記ハードウェア構成光ネットワーク内の前記エラー状態を是正することと
をさらに含む、項目４９に記載の方法。
（項目５１）
前記ハードウェア構成光ネットワーク内のエラー状態は、配線エラーを含む、項目４９に記載の方法。
本教示の一側面は、本明細書に説明されるハードウェア構成ネットワークが、光ネットワーク要素のためのデジタル診断を提供することができることである。公知の送受信機は、時として、マイクロプロセッサと、データリンク上に性能情報を提供する診断インターフェースとを含む。これは、ユーザが、ネットワーク内の任意の送受信機の受信された光強度、伝送される光強度、レーザバイアス電流、送受信機入力電圧、および送受信機温度等、多数の性能パラメータをリアルタイムで遠隔で監視することを可能にする。デジタル診断機能は、ユーザ、クライアント、および外部ネットワーク管理システムに、性能監視を実装するためのツールを提供する。
【０００７】
好ましいおよび例示的実施形による、本教示は、そのさらなる利点とともに、添付の図面と併せて検討される以下の発明を実施するための形態においてより具体的に説明される。当業者は、以下に説明される図面が、例証目的のためだけのものであることを理解するであろう。図面は、必ずしも、正確な縮尺ではなく、代わりに、概して、本教示の原理を例証する際に強調が置かれる。図面では、同一参照文字は、概して、種々の図全体を通して同一特徴および構造要素を指す。図面は、本出願人の教示の範囲をいかようにも限定することを意図するものではない。
【図面の簡単な説明】
【０００８】
【図１Ａ】図１Ａは、本教示のハードウェア構成光要素の実施形態のブロック図を図示する。
【図１Ｂ】図１Ｂは、光キャリヤ信号が光要素の内部で生成される、本教示のハードウェア構成光要素の実施形態のブロック図を図示する。
【図１Ｃ】図１Ｃは、光キャリヤ信号が光ネットワークから生じる、本教示のハードウェア構成光要素の実施形態のブロック図を図示する。
【図１Ｄ】図１Ｄは、光送受信機を備えているハードウェア構成光要素の一実施形態のブロック図を図示する。
【図１Ｅ】図１Ｅは、伝送ファイバ上の図１Ｄに関連して説明される光送受信機の測定された出力のオシロスコープトレースを図示する。
【図２Ａ】図２Ａは、波長可変送信機を伴う光送受信機を備えている、ハードウェア構成光要素の一実施形態のブロック図を図示する。
【図２Ｂ】図２Ｂは、本教示による伝送ファイバ上の波長可変送受信機の測定された出力を表す、光スペクトルを図示する。
【図３Ａ】図３Ａは、波長選択スイッチを含む、本教示によるハードウェア構成ネットワーク要素を図示する。
【図３Ｂ】図３Ｂは、本教示による低周波数制御信号を図示する、波長選択スイッチの測定された出力のオシロスコープトレースを示す。
【図４】図４は、本教示による光増幅器を含むハードウェア構成光要素の一実施形態のブロック図を図示する。
【図５】図５は、周知のイーサネット（登録商標）プロトコルに対する修正に基づく衝突回避プロトコルを含む、本教示による低周波数制御信号のオシロスコープトレースを図示する。
【図６】図６は、当技術分野において光リンクとも称される、２地点間送受信機トポロジ内の本教示のハードウェア構成ネットワークの実施形態を図示する。
【図７】図７は、波長選択スイッチまたは光プログラマブルフィルタ要素に接続される複数の波長可変送受信機を備えている、本教示のハードウェア構成ネットワークの実施形態を図示する。
【図８】図８は、波長選択切り替え光要素を伴う波長分割多重ネットワークを含む、本教示のハードウェア構成ネットワークの実施形態を図示する。
【図９】図９は、配線が間違って設置されている、図８のハードウェア構成ネットワークを図示する。
【図１０】図１０は、設置者が場所Ａにおける要素の配線を誤った、図８のハードウェア構成ＷＤＭネットワークの実施形態を図示する。
【図１１】図１１は、本教示によるハードウェア構成要素を備えている低コストコンバイナ−スプリッタの実施形態を図示する。
【発明を実施するための形態】
【０００９】
本明細書では、「一実施形態」または「ある実施形態」という言及は、実施形態と関連して説明される特定の特徴、構造、または特性が、本教示の少なくとも一実施形態に含まれることを意味する。本明細書内の種々の場所における語句「一実施形態では」の表出は、必ずしも、全て同一実施形態を参照するわけではない。
【００１０】
本教示の方法の個々のステップは、本教示が動作可能のままである限り、任意の順序で、および／または同時に、行われ得ることを理解されたい。さらに、本教示の装置および方法は、本教示が動作可能のままである限り、説明される実施形態の任意の数または全てを含むことができることを理解されたい。
【００１１】
本教示は、ここで、付随の図面に示されるようなその例示的実施形態を参照してより詳細に説明されるであろう。本教示は、種々の実施形態および実施例と併せて説明されるが、本教示をそのような実施形態に限定することを意図するわけではない。対照的に、本教示は、当業者によって理解されるように、種々の代替、修正、および均等物を包含する。本明細書における本教示へのアクセスを有する当業者は、追加の実装、修正、および実施形態、ならびに他の使用分野を認識し、これらは、本明細書に説明される本開示の範囲内にあろう。
【００１２】
用語「要素」または「ネットワーク要素」は、本明細書では、光ネットワークを構築し、動作させるために使用される種々のデバイスならびに光サブシステムを説明するために使用される。これらのうちのいくつかの実施例は、送受信機、スイッチ、波長選択スイッチ、プログラマブルフィルタ、増幅器、アッドドロップマルチプレクサ、およびクロスコネクト装置である。用語「コンポーネント」は、本明細書で使用される場合、これらのサブシステムを構成する、光、機械、および電子コンポーネントを説明する。用語「ネットワーク」は、情報を交換し、協働し得るように動作する、要素のグループまたはシステムを形成するように接続される複数のネットワーク要素を説明する。
【００１３】
本開示では、ネットワークと関連して使用されるとき、用語「ｃｏｎｆｉｇｕｒｅ（構成）」、「ｃｏｎｆｉｇｕｒｉｎｇ（〜を構成する）」、および「ｃｏｎｆｉｇｕｒｅ（〜を構成する）」は、種々のネットワーク管理、制御、ならびに動作機能を含むことを意味する。例えば、用語「ｃｏｎｆｉｇｕｒｅ（〜を構成する）」は、要素監査、要素診断、要素性能監視、および要素動作パラメータの制御等のタスクを含む。「ｃｏｎｆｉｇｕｒｅ（〜を構成する）」の定義の一部と見なされるべき当技術分野のいくつかの用語は、ネットワーク管理、ネットワーク動作、ＦＣＡＰＳ（障害管理、構成、課金、性能、セキュリティ）、ならびにネットワーク監視およびアラートを含む。ネットワーク管理は、ネットワーク要素の構成、発見、識別、および監査、ネットワーク要素の障害または誤構成の発見ならびにそれに対する反応、ならびにネットワーク要素の性能の監視等のタスクを含む。加えて、用語「ｃｏｎｆｉｇｕｒｅ（〜を構成する）」は、単一要素に適用されることができるか、または、それは、接続されたシステムもしくはネットワークとして動作する、または動作することが意図される要素の集合に適用されることができる。特に、用語「ネットワークを構成する」は、ネットワーク発見、ネットワーク動作の受動監視、および能動制御等のタスクを含む。
【００１４】
最新の光ネットワーク要素は、概して、光クライアントインターフェースを介して構成される。管理情報は、光ネットワーク内の送受信機、波長選択スイッチ、増幅器、および他の要素等の要素間で直接交換されることは殆どまたは全くない。構成情報は、典型的には、単一チャネル上で送信され、それは、管理情報の量および構成されることができるネットワーク要素の数を限定する。単一の管理または監視チャネルは、特に、調整動作中、外部ネットワーク管理システムに利用可能な情報の量も限定する。
【００１５】
さらに、最新の光ネットワーク構成システムでは、大量の診断情報が、処理のために、ネットワーク要素から１つ以上の外部ネットワーク管理システムもしくはユーザに送信される。診断情報は、外部ネットワーク管理システム内で処理され、命令が、続いて、要素に返信され、ネットワーク構成変更を生成する。公知のシステムのこの遠隔および／または実践的構成アーキテクチャは、構成されることができるネットワークのスケールを限定する。この限定は、要素監視を改良し、および／または動的要素動作を提供するために、ネットワーク要素から処理されることを要求される情報の量が増加するにつれて、特に当てはまる。例えば、動的トラフィックルーティングのためのサポートは、インライン増幅器性能および動的経路スペクトル状態を含む、光経路計算のための有意な量のリアルタイムデータを提供する光要素を要求する。
【００１６】
したがって、自動化され、複数のチャネルにわたって波長可変であり、かつネットワークを構成する種々の光要素にわたって機能する、光ネットワーク内の要素を構成する方法および装置を有することが、非常に望ましい。本教示は、少なくとも部分的に、ハードウェア構成ネットワーク（ＨＣＮ）のための制御および管理情報を伝送ならびに処理する方法および装置に関する。用語「ハードウェア構成ネットワーク」は、本明細書で使用される場合、殆どまたは全くユーザ入力を伴わずに、自動的に、それらの動作を構成、制御、および管理する、光ならびに電気切り替えおよびトランスポート要素ならびにコンポーネントのネットワーク化されたシステムである。
【００１７】
ハードウェア構成ネットワークの１つの可能な特性は、それが、集中コマンドまたはユーザ介入を伴わずに、自動的に、チャネルおよび波長を接続ならびにプロビジョニングすることである。ハードウェア構成ネットワークの別の可能な特性は、それが、集中コマンドまたはユーザ介入を伴わずに、構成エラーを検出および補正することである。典型的ハードウェア構成ネットワークのさらに別の可能な特性は、それが、集中コマンドまたはユーザ介入を伴わずに、光要素を再構成することである。ハードウェア構成ネットワークによって行われる構成の例は、要素調整、波長可変要素の調整、プログラマブル光フィルタ特性（帯域幅、フィルタ形状、分散、および他の構成可能パラメータ等）のプログラミング、波長選択スイッチ（ＷＳＳ）の減衰レベルの設定、エルビウム添加ファイバ増幅器（ＥＤＦＡ）における利得および利得スペクトルの設定、ならびに光スイッチおよび波長アッドドロップマルチプレクサおよびクロスコネクト装置のためのポートおよびポート毎の波長の構成を含む。本教示のハードウェア構成ネットワークの側面は、ネットワーク要素の自己構成に関連して説明されるが、当業者は、ハードウェア構成ネットワークの情報および構成制御へのアクセスを伴うユーザならびに／または集中コマンドもしくは外部管理システムも、ネットワーク要素の自己構成と併せて使用され得ることを理解されるであろう。
【００１８】
図１Ａは、本教示によるハードウェア構成光要素の実施形態のブロック図を図示する。本教示のハードウェア構成ネットワークは、専用の監視光チャネルを使用する代わりに、ネットワークをトラバースする種々の光信号上で変調される低周波数変調を使用して、ネットワークを経由して制御情報を伝送する。すなわち、制御情報を送信および受信するために使用される低周波数変調のための光キャリヤは、ネットワーク内で伝搬する光信号の一部である。本教示のハードウェア構成ネットワークの種々の実施形態において光キャリヤとして使用されているこれらの光信号は、クライアントデータトラフィック、ダミー信号、ＣＷ光、および自然放射増幅光を含むことができる。用語「光キャリヤ」は、本明細書で使用される場合、変調（低周波数変調であり得る）が行われる任意の光として定義される。この定義は、当技術分野におけるこの用語の他の使用より広義である。例えば、光通信のいくつかの用途では、用語「光キャリヤ」は、レーザ送信機からデータを搬送するために使用される光の特定の波長、多くの場合、ＩＴＵグリッドベースの波長を説明するために使用される。種々の実施形態では、光キャリヤは、光要素自体内で生成されることができるか、またはネットワークから受信される光キャリヤであることができる。
【００１９】
ハードウェア構成可能光要素１００は、電気制御情報を送信および受信するための電子制御ポート１０２を含む。ハードウェア構成可能光要素１００は、光信号を光ネットワークに伝送するために伝送光ファイバ１０４に結合される出力ポートと、光ネットワークから受信するために受信光ファイバ１０６に結合される入力ポートとも含む。デモジュレータ１０８は、受信された制御情報をデコードし、デコードされた制御情報を制御プロセッサ１１０に送信し、制御プロセッサ１１０は、情報を処理し、そして、制御情報に従って光要素を構成する。
【００２０】
光モジュレータ１１２は、伝送制御情報が光ネットワークの中に送信されることができるように、伝送制御情報を用いて光キャリヤを変調する。１つの動作方法では、光モジュレータ１１２は、伝送制御情報を表す低周波数変調を用いて光キャリヤを変調する。伝送光制御信号は、次いで、伝送ファイバ１０４を使用して、ネットワークに送信される。いくつかの動作方法では、伝送光制御信号は、直接、光キャリヤとしての役割を果たすクライアントデータ信号に与えられ、変調された光信号のこの組み合わせは、次いで、伝送ファイバ１０４上で伝送される。
【００２１】
図１Ｂは、本教示のハードウェア構成光要素１２０の実施形態のブロック図を図示し、光キャリヤ信号は、光要素の内部で光信号発生器１２２によって生成される。いくつかの実施形態では、光信号発生器１２２は、光送受信機要素のクライアント送信機の一部である。いくつかの実施形態では、光信号発生器１２２は、光増幅器を含み、光キャリヤは、自然放射増幅光である。モジュレータ１２４が、制御情報を用いて光キャリヤを変調するために使用される。いくつかの動作方法では、制御情報は、ローカルプロセッサ１２６によって生成される。他の動作方法では、制御情報は、電子制御ポート１２８に電気的に接続される出力を有する遠隔発信元によって生成される。スプリッタ１３０が、受信制御信号を含む入力光信号の部分を光ネットワーク１３２から分離するために使用される。デモジュレータ１３４は、受信制御情報をデコードし、次いで、その受信制御情報を制御プロセッサ１２６に送信し、制御プロセッサ１２６は、提供される制御情報に基づいて、ハードウェア構成要素１２０を構成する。
【００２２】
図１Ｃは、本教示のハードウェア構成光要素１４０の実施形態のブロック図を図示し、光キャリヤ信号は、光要素の外部で生じる。光キャリヤは、光ネットワークから生じ、入力ファイバ１４２に到着する。入力ファイバ１４２からの光信号の一部は、分離され、デモジュレータ１４８に送信される。デモジュレータ１４８は、受信制御情報をデコードし、次いで、その受信制御情報を制御プロセッサ１４９に送信し、制御プロセッサ１４９は、提供される制御情報に基づいて、ハードウェア構成要素１４０を構成する。光信号の一部は、スプリッタ１４４によって分離され、低周波数変調の形態で伝送制御情報を光キャリヤに与える光モジュレータ１４６に送信される。伝送光制御信号は、次いで、伝送ファイバ１４７上の光要素から出て行く。
【００２３】
いくつかの実施形態では、光キャリヤは、ハードウェア構成光要素１４０の上流の光送受信機要素によって生成される、クライアントデータ信号を含む。他の実施形態では、光キャリヤは、上流光増幅器からの自然放射増幅光を含む。図１Ｄは、光送受信機１５０を備えているハードウェア構成光要素の一実施形態のブロック図を図示する。光送受信機１５０は、電子コマンドおよび制御情報を送信および受信するための電気制御ポート１５２を含む。いくつかの実施形態では、電気制御ポート１５２は、産業標準Ｉ２Ｃインターフェースである。他の実施形態では、電気制御ポート１５２は、内蔵システム制御のために使用されるマルチマスタ、マルチスレーブ、シリアルプロトコルを使用する。光送受信機１５０は、光ファイバ１５４に伝送するために光結合される出力と、光信号を光送受信機１５０に搬送する受信光ファイバ１５６に光結合される入力とも含む。両伝送および受信光ファイバでは、光信号は、クライアントデータトラフィックならびに低周波数制御信号の一方または両方を含むことができる。クライアントデータトラフィックは、ネットワークにわたって送信されているネットワークトラフィックを含むことができる。低周波数制御信号は、ネットワーク要素を構成するために使用される種々のタイプの情報を含むことができる。
【００２４】
図１Ｅは、伝送ファイバ１５４上の図１Ｄに関連して説明される光送受信機１５０の測定された出力１６０のオシロスコープトレースを図示する。図１Ｄおよび１Ｅの両方を参照すると、本実施形態では、光送受信機１５０は、１０Ｇｂ／秒データレートにおいてクライアントデータトラフィック１６２を生成する。クライアントデータトラフィック１６２は、比較的に長い時間スケールにおける時間の関数として、高および低データレベルとして現れる。
【００２５】
したがって、本教示の一側面は、直接送受信機１００から生じる光通信信号に与えられる低周波数において、一連の「１」および「０」を使用して、制御信号１６４をエンコードすることである。図１Ｄ、１Ｅに示される実施形態では、制御信号１６４は、送受信機１５０によって生成されるクライアントデータトラフィック１６２に直接与えられる。種々の実施形態では、低周波数「１」および「０」は、伝送ファイバ１５４に光結合される対応する受信光要素（図示せず）においてデコードされることができる。低周波数変調は、図１Ｅに示されるように、振幅変調であり得る。種々の他の実施形態では、低周波数変調は、位相変調または周波数変調等の任意の変調フォーマットであることができる。
【００２６】
クライアントデータトラフィック１６２は、低周波数変調によって影響されないことに留意することが重要である。送受信機１５０から生じる光信号に直接与えられる低周波数１６４において、一連の「１」および「０」を使用して制御信号をエンコードする１つの利点は、低周波数変調のために使用される周波数が、典型的には、クライアントデータトラフィック１６２の高データレートをデコードする受信機内の電気フィルタを通過しないことである。光信号の変調、スクランブリング、およびコーディングの詳細に応じて、ベースラインワンダは、これらのハイパス電気フィルタの低周波数カットオフを１００ｋＨｚまで低く設定し得る。その結果、低周波数制御信号の周波数は、送受信機内で使用されるハイパスフィルタリングの最低周波数を下回るように選択され、したがって、低周波数制御信号は、クライアントデータトラフィック１６２の完全性に影響を及ぼさないであろう。さらに、低周波数変調ベースのエンコーディングおよびデコーディングは、当技術分野において周知であり、広く利用可能である比較的に低コストかつ低帯域幅の光学および電子機器を使用して遂行されることができる。本教示によるハードウェア構成ネットワークのいくつかの実施形態は、現在展開されている送受信機１５０要素内ですでに利用可能な光および電気コンポーネントを使用する。
【００２７】
図２Ａは、波長可変送信機２０２を伴う光送受信機を備えているハードウェア構成光要素の一実施形態のブロック図２００を図示する。波長可変送信機２０２は、コマンドおよび制御情報を送信ならびに受信するための電気制御ポート２０４を含む。いくつかの実施形態では、電気制御ポート２０４は、産業標準Ｉ２Ｃインターフェースである。他の実施形態では、電気制御ポート２０４は、内蔵システム制御のために使用されるマルチマスタ、マルチスレーブ、シリアルプロトコルを使用する。波長可変送受信機２０２は、伝送ファイバ２０６に光結合される出力を含む。
【００２８】
図２Ｂは、本教示による伝送ファイバ２０６上の波長可変送受信機の測定された出力を表す光スペクトル２０８を図示する。光スペクトル２０８は、波長可変送受信機２０２内の波長可変レーザが特定の波長２１０に設定されることを示す。一特定の実施形態では、波長可変送受信機２０２の波長またはチャネルは、１５２８ｎｍ〜１５６７ｎｍの波長範囲にわたって設定および調節されることができる。
【００２９】
図２Ａおよび２Ｂの両方を参照すると、本実施形態では、光送受信機２００は、オシロスコープトレースの比較的に長い時間スケールを伴う時間の関数として、高および低データレベルとして示される、１０Ｇｂ／秒データレートにおいてクライアントデータトラフィック２２４を生成している。ネットワークを構成するための制御および管理情報は、クライアントデータトラフィック２２４に直接与えられる低周波数において、一連の「１」および「０」２２２としてエンコードされる。本教示によるいくつかの動作方法では、波長可変送受信機２０２のための典型的出力電力は、０〜３ｄｂｍ範囲内であり、それは、約１〜２ｍＷに対応する。さらに、いくつかの動作方法では、低周波数エンコード変調フォーマットは、波長可変レーザチャネルの低周波数電力変化であり、したがって、レーザチャネル設定点の波長で動作する。加えて、いくつかの動作方法では、低周波数変調の変調深度は、約０．５％〜１０％である。いくつかの実施形態では、低周波数変調は、５％以下である。
【００３０】
したがって、本教示によるハードウェア構成ネットワークの１つの特徴は、制御情報が、波長可変送信機信号上でエンコードされ、したがって、エンコードされた制御情報を搬送する波長が、波長可変送信機の波長可変構成に基づいて、波長可変であることである。その結果、エンコードされた情報を搬送する信号の波長を調整することによって、エンコードされた制御情報の宛先は、光ネットワーク内で構成される特定の波長経路に基づいて、変更されることができる。例えば、光ネットワークを構成する、波長スイッチ、フィルタ、および増幅器の構成は、光ネットワーク内で発信元から宛先までの波長経路を確立する。種々の発信元から種々の宛先までの波長経路はまた、ネットワーク要素の再構成に基づいて、変化し得る。発信元波長は、特定の宛先または宛先の組への所望の波長経路を辿るように調整され得、したがって、その発信元波長において光信号に与えられる低周波数制御信号は、エンコードされた制御情報をその特定の宛先または宛先の組に提供するであろう。低周波数制御信号の宛先は、したがって、単に、波長可変送受信機のレーザ波長を調整することによって、変更されることができる。低周波数変調制御信号を搬送する波長を選択するためのこの能力は、あるネットワーク要素からのエンコードされた制御情報が、特定の波長経路を選択することによって、潜在的に、ネットワーク内の種々の異なる要素のいずれかに到達することを可能にする。
【００３１】
本教示によるハードウェア構成ネットワークの別の特徴は、特定の波長上の制御信号の低周波数エンコーディングが、光ファイバまたは光ネットワーク全体内を伝搬する他の波長に影響を及ぼさないことである。
【００３２】
図３Ａは、波長選択スイッチ３０２を含む、本教示によるハードウェア構成光要素３００を図示する。本教示によるいくつかの実施形態では、波長選択スイッチ３０２は、特殊な修正を伴わない標準的市販の波長選択スイッチ３０２である。波長選択スイッチは、さまざまなポート構成およびチャネル計画において広く利用可能であり、最新の光ネットワーク内で現在使用されている。Ｆｉｎｉｓａｒ  Ｃｏｒｐｏｒａｔｉｏｎによって製造される波長選択スイッチ等の波長選択スイッチは、同一ネットワーク内で複数の波長にわたって、トラフィックをある光リンクから別の光リンクに切り替える、高度にプログラマブルであり、かつ柔軟な切り替えのプラットフォームを提供する。しかしながら、本教示による波長選択スイッチは、本教示に従って、追加の特徴を有するように構築されることができる。本教示の一実施形態では、波長選択スイッチ３０２は、エンコードされた制御データを直接検出するための１つ以上の低周波数フォトダイオードを含む。
【００３３】
さらに、本教示によるハードウェア構成ネットワーク内で使用される波長選択スイッチは、双方向であり、両方向に均等に動作することができる。したがって、本教示の一側面は、波長選択スイッチ３０２も、ネットワーク内の他の光要素からの制御信号を受信およびデコードし、かつネットワーク内の他の光要素のための意図される制御信号を伝送およびエンコードすることができることである。
【００３４】
ハードウェア構成光要素３００は、受信光ファイバ３０４に光接続される少なくとも１つの光入力と、複数の伝送光ファイバ３０６、３０６’、３０６’’に光接続される複数の光出力とを伴う、波長選択スイッチ３０２を含む。波長選択スイッチ３０２は、電気制御ポート３０８も有する。本教示によるいくつかの動作方法では、受信光ファイバ３０４は、光信号を１つまたは複数の波長上で伝搬する。図２Ａ、２Ｂに戻って参照すると、光信号は、波長可変光送受信機２０２から生じるクライアントデータトラフィックを含み得る。
【００３５】
図３Ａは、受信ファイバ３０４上のクライアントデータトラフィック３１０を図示する。波長選択スイッチ３０２によって一般に行われる１つの機能は、電子制御信号に応答して、受信された光信号の減衰を変化させ、その変更する減衰から振幅変調された信号を生成することである。その結果は、波長選択スイッチ３０２の光入力上で受信される光信号上で行われる低周波数変調であり、低周波数変調は、波長選択スイッチ３０２を通過する任意または全ての波長またはチャネルにおける光信号に独立して与えられることができる。
【００３６】
図３Ａはまた、電子制御信号によってエンコードされた一連の「１」および「０」の形態における低周波数制御信号３１２を伴うクライアントデータトラフィック３１０を図示する。クライアントデータトラフィック３１０の完全性は、低周波数制御信号によって影響されないことに留意されたい。低周波数制御信号は、波長選択スイッチ３０２の特定の波長チャネルの減衰を選択的に制御する電子制御信号を使用して、複数の伝送ファイバ３０６、３０６’、３０６’’のいずれかにルーティングされる所望の波長チャネルに選択的に与えられる。
【００３７】
波長選択スイッチ３０２によって生成される一連の「１」および「０」３１２の形態における低周波数制御信号は、図３Ｂに図示されるオシロスコープトレース３５０に示されるように、フィルタリングされ、高周波数信号をクライアントデータトラフィックから排除することができる。図３Ｂは、受信ファイバ３０６上の波長選択スイッチ３０２の測定された出力のオシロスコープトレース３５０を示し、クライアントデータトラフィックは、本教示に従ってフィルタリングされている。その結果は、波長選択スイッチ３０２を通した低減衰から生じる「１」のための第１の信号レベル、および波長選択スイッチ３０２を通したより高い減衰から生じる「０」のための第２のより低い信号レベルである。フィルタリングされた制御信号のためのデータレートは、比較的に低くあることができる。例えば、低周波数制御信号のデータレートは、約５ビット／秒であることができる。
【００３８】
図４は、ハードウェア構成光増幅器４００の一実施形態のブロック図を図示する。示される実施形態では、ハードウェア構成光増幅器４００は、エルビウム添加ファイバ増幅器（ＥＤＦＡ）であり、それは、現代の光通信システムにおいて一般に使用される光増幅器である。当業者は、多数の他のタイプの光増幅器も使用されることができることを理解されるであろう。光増幅器４００は、電気コマンドおよび制御情報を送信ならびに受信するために構成される電気制御ポート４０２を含む。光増幅器４００は、増幅されるべき光信号を提供する受信光ファイバ４０４に結合される、光入力ポートと、本教示による低周波数制御信号も含み得る増幅された光信号を伝送する伝送光ファイバ４０６に結合される光出力ポートとも含む。
【００３９】
図４は、光増幅器４００によって増幅されるべき、受信ファイバ４０４によって提供される入力クライアントデータトラフィック４０８のオシロスコープトレースも図示する。本実施形態では、クライアントデータトラフィック４０８は、例えば、１０Ｇｂ／秒データレートにおいて変調される。光増幅器４００は、受信された光信号の減衰を変化させ、低周波数振幅変調制御信号４１０を生成する。
【００４０】
図４に示される実施形態では、構成情報は、制御ポート４０２によって提供される電子制御信号を使用して、低周波数変調制御信号上でエンコードされる。低周波数振幅変調制御信号４１０内の構成情報データは、図４に示されるように、クライアントデータトラフィック４０８に与えられる低周波数変調を使用して、一連の「１」および「０」としてエンコードされる。クライアントデータトラフィック４０８の完全性は、低周波数変調の振幅変調深度がクライアントデータトラフィックの変調深度に対して小さいので、低周波数振幅変調制御信号によって影響されない。加えて、クライアントデータトラフィック４０８の完全性は、低周波数変調の周波数が低すぎてクライアントデータトラフィックの受信フィルタを通過できないので、低周波数振幅変調制御信号によって影響されない。
【００４１】
本明細書に説明されるように、本教示のハードウェア構成ネットワークの１つの特徴は、クライアントデータトラフィック４０８の完全性が、光増幅器４００によって与えられる小量の低周波数変調によって影響されないことである。いくつかの実施形態では、光増幅器４００によって与えられる振幅変調は、低周波数変調を光増幅器４００のスペクトル帯域幅全体に提供する。言い換えると、光増幅器によって増幅された全てのチャネルは、実質的に同一低周波数変調を経験する。これらの実施形態では、光増幅器４００を通過する全てのチャネルは、同一のエンコードされた情報を電子制御信号から受信する。しかしながら、本教示の他の実施形態では、光増幅器４００は、光増幅器４００を通過する特定のチャネルまたはチャネルのバンドのための利得を制御可能な利得制御を有する。これらの実施形態では、制御信号は、光増幅器４００を通過する１つ以上のチャネル、波長、もしくはバンドのうちの選ばれたもの上でエンコードされる。
【００４２】
本教示の１つの特徴は、低周波数制御信号が、種々のタイプの既存の光信号に与えられることができることである。図１Ｄ−１Ｅおよび２に関連して図示される実施形態に対して、既存の光信号は、送受信機要素から生じるクライアントデータトラフィックを含む。いくつかの実施形態では、既存の光信号は、ライブデータトラフィックを含まない。例えば、既存の光信号は、ダミー通信データ信号を含むことができる。他の実施形態では、既存の光信号は、光送受信機のＣＷ出力または光増幅器からの自然放射増幅光を含む。
【００４３】
さらに、いくつかの実施形態では、既存の光信号は、既存の光信号に電子制御情報を与える同じ光要素から生じる。他の実施形態では、既存の光信号は、既存の光信号に電子制御情報を与える光要素の上流の他の光要素から生じる。いくつかの実施形態では、ネットワーク内で接続される１つ以上の別個の要素からの電子制御情報は、同じ既存の光信号に与えられる。いくつかの実施形態では、電子制御ポートは、光制御信号のための構成情報を提供する。いくつかの実施形態では、光ネットワーク要素内のプロセッサは、光制御信号のための構成情報を提供する。いくつかの実施形態では、光ネットワーク要素内のプロセッサによって提供される伝送光制御信号のための構成情報は、受信された光制御信号に基づいて生成される。
【００４４】
本教示の一実施形態では、ハードウェア構成光要素は、逆伝搬ラマンポンプユニット、および可変利得ＥＤＦＡ光増幅器等の可変利得（ＶＧ）光増幅器を含む。ラマンポンプユニットおよび可変利得光増幅器は、統合され、超長距離光通信システムのために非常に望ましい特性である非常に低い雑音指数および優れた利得平坦度を提供することができる。最新の光増幅器モジュールは、現在、種々の構成における最大３つのラマン／ＥＤＦＡポンプ光増幅器をサポートすることができる。
【００４５】
ラマンポンプユニットおよび可変利得光増幅器を使用する実施形態では、高速自動利得制御（ＡＧＣ）回路が、高度な過渡抑制を提供するために使用されることができ、高度な過渡抑制は、光増幅器が、ラマンポンプ光増幅器によって生成される誘導放射増幅光（ＡＳＥ）から独立した入力電力の高速かつ大規模な変化が存在する動作状態中、利得を一定に保つことを可能にする。低雑音指数および広動的利得範囲（最大１５ｄＢ）を伴う、Ｃ−バンドにわたって平坦利得を提供する、好適な可変利得デュアル段エルビウム添加ファイバ増幅器は、Ｆｉｎｉｓａｒ  Ｃｏｒｐｏｒａｔｉｏｎから市販されている。いくつかの実施形態では、光増幅器は、低周波数変調を既存の光信号上で行うためのデバイスを通した減衰を制御するために、全てが一緒にまたは別個に使用され得る、包括的過渡制御、波長可変段間アクセス（ＭＳＡ）損失、および利得チルト機能性等の特徴を含む。
【００４６】
本教示の１つの特徴は、ハードウェア構成光要素が、多数のハードウェア構成光要素を含むネットワーク内の要素に構成情報を伝送する手段を提供することである。本教示の方法および装置は、公知のネットワーク内の既存かつ展開されている光要素と適合性があり、公知の低周波数変調技法および公知の情報処理方法を使用して、容易に実装されることができる。適合性がある既存のネットワークは、大規模サービスプロバイダネットワークおよび企業ネットワーク等の産業標準データ通信および電気通信ネットワーク、
ならびに、プライベートネットワークおよび産業制御のために使用されるもの等の特設ネットワークシステムを含む。本教示のいくつかの実施形態では、構成情報または制御信号は、２地点間様式において光要素間で交換される。他の実施形態では、構成情報は、ネットワーク上の光要素の一部または全部へのブロードキャスト様式もしくはマルチキャスト様式において、光要素間で交換される。さらに他の実施形態では、構成情報は、マルチポイント様式またはカスケード様式において交換される。種々の実施形態では、光要素間で構成情報または制御信号情報を交換するためのこれらの手段の任意の組み合わせが、使用されることができる。
【００４７】
本教示のハードウェア構成光要素を備えているハードウェア構成ネットワークの別の特徴は、公知の通信プロトコルおよび公知の管理情報プロトコルが、ネットワーク要素を構成するために使用され得ることである。すなわち、情報をネットワーク要素から収集し、それを構成するためのルールの公知のシステムが、使用されることができる。これらのプロトコルは、例えば、データフォーマット、アドレス指定、ルーティング、エラーおよび障害管理、フローおよびシーケンス制御、ならびに他の公知の管理要素および機能を管理するために使用されるデータ通信、電気通信トランスポート、および管理プロトコルを含む。種々の実施形態では、これらのプロトコルは、内蔵システム、リアルタイムシステム、およびコンピュータバスプロトコルを含む。
【００４８】
図５は、周知のイーサネット（登録商標）プロトコルに対する修正に基づく衝突回避プロトコルを含む、本教示による低周波数制御信号５００のオシロスコープトレースを図示する。図５に示される低周波数制御信号５００は、マルチポイント通信のために好適なプロトコルを含む。エンコードされた制御情報は、領域５０２、５０２’として示される「バースト」内で伝送され、変調された「１」および「０」は、クライアントデータトラフィック５０４上に現れる。時間ｔ  ５０６として示されるバースト持続時間は、再伝送時間Ｔ  ５０８と比較して短い。いくつかの実施形態では、ｔ／Ｔの比率は、パケット時間が再伝送時間のわずか１０％であるように、０．１である。各送受信機は、異なる送信機から送信されるパケットの潜在的衝突を回避し、受信機におけるデコーディングの信頼性を改良するために、パケットバーストのために再伝送時間のランダムパーセントを利用する。言い換えると、種々の送信機のためのｔ／Ｔは、ランダムに選定される。
【００４９】
本教示の一側面は、ハードウェア構成ネットワーク内の光要素が、メッシュ、２地点間、リング、バス、ツリー、および他の公知の構成を含む任意のネットワーク構成において配列されることができることである。さらに、本教示のハードウェア構成ネットワークの光要素は、送受信機、増幅器、光チャネルモニタ（ＯＣＭ）、波長選択スイッチ、ＷＤＭマルチプレクサおよびＷＤＭデマルチプレクサ、クロスコネクト装置、ならびに光スイッチを含むいくつかの異なる要素タイプを含み得る。したがって、本教示の構成システムは、多数のネットワークトポロジ、ネットワークサイズおよび範囲、ならびにネットワークサービスをサポートする。
【００５０】
本教示の別の側面は、送受信機、増幅器、光チャネルモニタ、波長選択スイッチ、マルチプレクサ／デマルチプレクサ、クロスコネクト装置、および光スイッチを含む光ネットワーク要素の異種組み合わせが、本明細書に説明されるように、共通構成スキームを用いて構成されることができることである。
【００５１】
図６は、当技術分野では、光リンクとも称される２地点間送受信機トポロジにおける本教示のハードウェア構成ネットワークの実施形態を図示する。図６に示される２地点間構成は、メッシュ、リング、およびバス等の追加の光送受信機要素を含む他のより複雑なネットワークトポロジに拡張されることもできる。図６に図示される実施形態では、２つの光送受信機６０２、６０２’は、第１の送受信機６０２から第２の送受信機６０２’に伝送するための１つの光ファイバ６０４を介して接続される。第２の光ファイバ６０６は、情報を第２の送受信機６０２’から第１の送受信機６０２に伝送する。
【００５２】
送受信機６０２は、コマンドおよび制御情報信号を送信ならびに受信するための制御ポート６０８、６０８’を備えている。第１の送受信機６０２の測定された出力のオシロスコープトレース６０９は、１０Ｇｂ／秒データレートにおける通常クライアントデータトラフィック６１０と、低周波数制御信号６１２とを示す。クライアントデータトラフィック６１０の完全性は、低周波数制御信号６１２によって影響されないことに留意されたい。図６に示される低周波数制御信号６１２は、振幅変調された信号であるが、当業者は、任意の変調フォーマットが使用されることができることを理解されるであろう。低周波数制御信号６１２は、第１の送受信機６０２から送信される制御および管理情報を含む。第２の光送受信機６０２’内のマイクロプロセッサは、第１の光送受信機６０２から受信された一連の「１」および「０」をデコードするために使用される。このように、構成情報は、第１の光送受信機６０２から第２の光送受信機６０２’へと共有される。
【００５３】
第２の光ファイバ６０６は、構成情報を第２の送受信機６０２’から第１の送受信機６０２に送信するために使用される。このように、構成情報は、第２の光送受信機６０２’から第１の光送受信機６０２へと共有される。第１および第２の送受信機６０２、６０２’上の制御ポート６０８、６０８’は、産業標準Ｉ２Ｃインターフェースまたは他のタイプの通信インターフェースを含むことができる。したがって、本教示の低周波数変調方法を使用して、デジタル診断情報が、２つの送受信機６０２、６０２’間の両方向において、エンコード、共有、およびデコードされることができる。
【００５４】
図７は、波長選択スイッチまたは光プログラマブルフィルタ要素７０４に接続される複数の波長可変光送受信機７０２、７０２’を備えている、本教示のハードウェア構成ネットワーク７００の実施形態を図示する。波長選択スイッチは、特定の波長またはチャネルに基づいて、光ファイバ間で光信号をルーティングするために使用されることができる。波長選択スイッチは、再構成可能光アッドドロップマルチプレクサとして構成され、波長および帯域幅を異なるファイバに迅速にシフトさせる、自動化されたパッチパネルとして機能することができる。例えば、Ｆｉｎｉｓａｒ  Ｃｏｒｐｏｒａｔｉｏｎから市販のＦｌｅｘｇｒｉｄＴＭ技術製品は、波長選択スイッチ内で６．２５ＧＨｚ分解能を伴うチャネル中心周波数および１２．５ＧＨｚのチャネル幅分解能の動的制御を提供する。ＦｌｅｘｇｒｉｄTM技術を用いて展開されると、チャネル計画は、「オンザフライ」で構成可能であり、それは、チャネル帯域幅が、将来的需要が発生したときにそれらを最も効率的に搬送するために、または任意の他の目的のために調節されることができることを意味する。
【００５５】
最新のプログラマブル光フィルタの一例は、Ｆｉｎｉｓａｒ  ｃｏｒｐｏｒａｔｉｏｎから市販のプログラマブル光プロセッサのＷａｖｅＳｈａｐｅｒファミリである。
【００５６】
プログラマブル光フィルタは、中心波長、帯域幅、形状および分散、ならびに減衰等のフィルタ特性の非常に細かい制御を含む、さまざまなプログラマブル光フィルタリングおよび切り替えを提供する。プログラマブル光フィルタは、波長可変光フィルタリング、光帯域幅管理、動的利得均等化、プログラマブル光フィルタリング、偏光処理、およびマルチポート光処理等の機能を提供することができる。波長選択スイッチおよびプログラマブル光フィルタの全てのこれらのパラメータは、本教示のハードウェア構成ネットワーク方法および装置を使用して構成されることができる。
【００５７】
図７は、光ファイバ７０６、７０６’を用いてプログラマブルフィルタ要素７０４の入力に接続される光出力を有する２つの光送受信機７０２、７０２’を図示する。２つの送受信機７０２、７０２’とプログラマブルフィルタ要素７０４との間の光接続は、多くの構成において双方向である。プログラマブルフィルタ要素７０４は、出力ファイバ７０８に光接続される出力、および電子制御信号を受信する電子制御ポート７１０を含む。２つの光送受信機７０２、７０２’は、電子制御信号を受信する電子制御ポート７１２、７１４を有する。
【００５８】
いくつかの実施形態では、光送受信機７０２、７０２’は、波長可変であり、異なる波長チャネルを伝送および受信するように設定される。図７に示される構成では、プログラマブルフィルタ要素７０４は、２つの波長チャネルを受信し、それらを出力ファイバ７０８上で伝送するようにプログラムされる。当業者は、任意の数のチャネルを伴う任意の数の送受信機が本教示の方法および装置と共に使用されることができることを理解されるであろう。
【００５９】
いくつかの実施形態では、ローカルクライアント７１６が、プログラマブルフィルタ要素７０４を構成するための制御情報と、送受信機７０２、７０２’からの波長チャネルを設定するための制御情報とを提供するために使用される。いくつかの実施形態では、制御情報は、制御ポート７１０、７１２、および７１４を使用して、外部発信元から独立して提供される。制御情報は、光ファイバ７０６、７０６’、および７０８上で伝搬する既存の光信号に与えられる低周波数制御信号上でエンコードされる。このように、要素構成のための情報は、ネットワークを通して転送される。ローカルクライアントベースおよび独立入力方法の両方が、いくつかの実施形態では使用される。種々の実施形態では、ローカルクライアントは、光要素と同じ場所に位置することも、そうではないこともある。
【００６０】
図８は、波長選択切り替え式光要素を伴う波長分割多重ネットワークを含む本教示のハードウェア構成ネットワーク８００の実施形態を図示する。多くの公知のネットワーク要素構成は、別個の「監視」チャネルを使用して、構成情報を波長分割多重ネットワーク内の種々の要素に通信するために、クライアントの使用に依拠する。本教示のハードウェア構成ネットワークの１つの特徴は、公知のクライアントハードウェアが、要素構成を提供するためにもはや必要ではないことである。クライアントハードウェアおよび他の外部管理システムが、ネットワーク内に存在し、使用されることができるが、それらは、要素構成のためにもはや必要ではない。さらに、これらのクライアントハードウェアおよび他の外部管理システムが使用される場合、それらは、大幅に縮小された役割を有し得る。代わりに、構成情報は、本明細書に説明されるように、光ネットワーク内の既存の光信号に与えられる低周波数制御信号を介して提供される。
【００６１】
図８は、光ファイバ８０６、８０６’を用いてアッド波長選択スイッチ（ａｄｄ  ｗａｖｅｌｅｎｇｔｈ  ｓｅｌｅｃｔｉｖｅ  ｓｗｉｔｃｈ）８０４に光結合される双方向光ポートを有する第１および第２の送受信機８０２、８０２’を図示する。いくつかの実施形態では、第１および第２の送受信機８０２、８０２’とアッド波長選択スイッチ８０４との間に双方向通信が存在する。他の実施形態では、第１および第２の送受信機８０２、８０２’からアッド波長選択スイッチ８０４への一方向通信のみが存在する。送受信機８０２、８０２’は、制御情報を受信する制御ポート８０８、８０８’を含む。
【００６２】
アッド波長選択スイッチ８０４は、制御情報を受信する電気制御ポート８１０を有する。いくつかの実施形態では、電気制御ポート８１０は、使用されず、制御情報は、光ファイバ８０６、８０６’を介して提供される。加えて、アッド波長選択スイッチ８０４は、光ファイバ８１２を用いてドロップ波長選択スイッチ（ｄｒｏｐ  ｗａｖｅｌｅｎｇｔｈ
ｓｅｌｅｃｔｉｖｅ  ｓｗｉｔｃｈ）８１４の双方向ポートに光結合される光双方向ポートを含む。ドロップ波長選択スイッチ８１４は、制御情報を受信する電気制御ポート８１６を有する。動作時、アッド波長選択スイッチ８０４は、制御可能な方法において、種々の波長を種々の入力ポートから特定の出力ポートに接続するように構成されることができる。ドロップ波長選択スイッチ８１４はまた、制御可能な方法において、種々の波長を特定の入力ポートから種々の出力ポートのうちの１つ以上のものに接続するように構成されることができる。当業者は、アッド波長選択スイッチ８０４およびドロップ波長選択スイッチ８１４が、アッド波長選択スイッチ８０４がドロップ波長選択スイッチとなり、逆も同様であるように、逆方向に動作することもできることを理解されるであろう。
【００６３】
ドロップ波長選択スイッチ８１４も、第１および第２の光ファイバ８１８、８１８’に光結合される２つの双方向ポート含む。示される実施形態では、光ファイバ８１８、８１８’は、光信号をドロップ波長選択スイッチ８１４から送受信機８２０、８２０’に伝送する。送受信機８２０、８２０’は、電気制御ポート８２２、８２２’を有する。図８に示される実施形態では、送受信機８０２、８０２’は、アッド波長選択スイッチ８０４からドロップ波長選択スイッチ８１４を通して、信号を受信する送受信機８２０、８２０’に伝送する。
【００６４】
図８に図示される実施形態では、場所Ａ  ８２４における送受信機８０２は、伝送モードにあり、場所Ｂ  ８２６において受信モードにある送受信機８２０に光結合される。同様に、場所Ａ  ８２４における送受信機８０２’は、伝送モードにあり、受信モードにある、場所Ｂ  ８２６における送受信機８２０’に接続される。１つの動作方法では、送受信機８０２は、クライアント構成デバイス８２８を使用して少なくとも部分的に構成され、特定の波長チャネル上でデータを提供する。
【００６５】
エンコードされた制御情報は、アッド波長選択スイッチ８０４に送信される送受信機８０２から生じる波長チャネル上の低周波数変調を使用して与えられる。エンコードされた制御情報は、アッド波長選択スイッチ８０４によって受信され、次いで、デコードされ、信号を送受信機８０２からドロップ波長選択スイッチ８１４に接続される出力ファイバ８１２に渡すようにアッド波長選択スイッチ８０４を構成するために使用される。このアクションは、制御信号がドロップ波長選択スイッチ８１４に渡されるようにし、そこで、それは、続いて、デコードされる。ドロップ波長選択スイッチ８１４は、次いで、デコードされた制御情報を使用して、信号を送受信機８０２からファイバ８１８に渡すようにドロップ波長選択スイッチ８１４を構成する。ドロップ波長選択スイッチ８１４のこの構成は、それによって、送受信機８０２から生じる信号およびエンコードされた制御情報を受信機８２０に渡す。エンコードされた制御情報は、送受信機８２０において受信され、それは、信号データを送受信機８０２から受信するように送受信機８２０を構成するために使用される。
【００６６】
いくつかの実施形態では、１つ以上の光チャネルモニタ８３０、８３２は、制御情報をハードウェア構成可能アッドおよびドロップ波長スイッチ８０４、８１４に提供する。光チャネルモニタ８３０、８３２は、アッド波長選択スイッチ８０４またはドロップ波長選択スイッチ８１４もしくは両方を通過する光信号の詳細を監視し、その情報を使用して、ハードウェア構成ネットワークの種々の制御アクションを知らせる。制御アクションは、本明細書に説明される低周波数変調を介して、ネットワークに信号伝達される。
【００６７】
当業者は、アッド波長選択スイッチ８０４およびドロップ波長選択スイッチ８１４が、順方向および逆方向の両方において、トラフィックを同時に起動させることが可能であることを理解されるであろう。しかしながら、各要素間の２つの光ファイバが、トラフィックを両方向に伝搬するために要求される。
【００６８】
当業者は、図８に示されるハードウェア構成ネットワークの自動化された構成およびプロビジョニング使用を示すイベントの特定のシーケンスが、例証であり、本教示をいかようにも限定するものではないことを理解されるであろう。例えば、種々のプロトコルが、本明細書に説明される低周波数制御信号を使用して、種々のシーケンスにおいて光要素間でネットワークコネクティビティおよびネットワーク構成を確立するために使用されることができる。さらに、クライアントが、構成イベントの任意または全てのために、電子制御信号をネットワーク内の要素の任意のものに提供するために使用されることができる。加えて、クライアントは、１つ以上の構成イベントを開始するために使用されることができ、自動化されたエンコード情報は、構成イベントの残りのために使用される。
【００６９】
本教示の一側面は、設置エラーが、クライアントまたは外部ネットワークマネージャの使用を伴わずに、自動化された方式で検出されることができることである。設置エラーは、実際の展開されるハードウェア物理的接続を計画されたハードウェア物理的接続から逸脱させる。用語「物理的接続」は、本明細書では、光要素上の特定のファイバまたは特定のポートへの１つ以上の光要素の特定のポートの接続を指す。設置エラーが生じると、計画されたハードウェア物理的接続を推定して光要素の中に事前にプログラムされる計画された要素構成は、適切な光信号経路を要素間にもたらさないであろう。公知の構成システムでは、設置エラーから回復するための唯一の方法は、高価なヒト介入を使用して、誤った接続を検出することと、ハードウェアを再展開し、計画されたハードウェア物理的接続を確立することの両方を行うことである。
【００７０】
図９は、図８のハードウェア構成ネットワーク９００を図示し、設置エラーが、場所Ｂ
９０２において交差配線状態を生じさせている。計画された配線接続は、受信側送受信機ＲＸ−１  ９０４が光ファイバ９０６と接続され、受信側送受信機ＲＸ−２  ９０８が光ファイバ９１０と接続されることを要求する。設置者エラーは、図９に示されるように、受信側送受信機ＲＸ−１  ９０４が光ファイバ９１０と接続され、受信側送受信機ＲＸ−２  ９０８が光ファイバ９０６と接続される結果をもたらしている。そのような設置エラーは、残念ながら、電気通信サービスプロバイダに関する一般的発生事象であり、有意なサービス構築遅延および追加コストを生じさせる。交差配線状態は、最新のネットワークハードウェア構成システムを用いても、検出が困難であり、かつ補正も困難である。設置エラー状態の検出は、ヒトオペレータを使用する複数のネットワーク要素からエラー状態の相関を要求し、かつ後続サービスは、現場技術者が、機器を位置特定し、計画された物理的接続に再接続することを要求する。
【００７１】
本教示のハードウェア構成ネットワーク装置および方法を使用することで、図９の交差配線設置エラーは、事実上、ヒト介入またはトラックロールを伴わずに、自動的に検出および補正されることができる。具体的には、始動時、ドロップ波長選択スイッチ９１２は、本教示による低周波数制御信号を含む光信号を、場所Ａ  ９１４における伝送側送受信機ＴＸ−１  ９１６から場所Ｂ  ９０２における受信側送受信機ＲＸ−２  ９０８に送信する。場所Ｂ  ９０２における受信側送受信機ＲＸ−２  ９０８は、低周波数制御信号上のエンコードされた構成情報が、場所Ａ９１４におけるＴＸ−１  ９１６であり、予期されるように、場所Ａ  ９１４におけるＴＸ−２９１８からではないので、接続エラーを識別する。場所Ｂ  ９０２における受信側送受信機ＲＸ−２  ９０８は、次いで、設置エラーを解消する補正アクションを提供するために、適切なネットワーク要素に向かわせられる低周波数制御信号上の補正構成情報をエンコードすることによって、補正アクションを開始する。
【００７２】
特に、配線エラーは、ドロップ波長選択スイッチ９１２の再構成を使用して補正される。再構成は、場所Ｂ  ９０２におけるＲＸ−２  ９０８が光信号を場所Ａ  ９１４におけるＴＸ−２  ９１８から受信するように、ドロップチャネルを再構成するための場所Ｂ  ９０２における受信側送受信機ＲＸ−２  ９０８から場所Ｂ  ９０２におけるドロップ波長選択スイッチ９１２に送信されるエンコードされた情報によって開始される。したがって、ドロップ波長選択スイッチ９１２は、場所Ａ  ９１４におけるＴＸ−１  ９１６からの信号が、計画されたファイバ９０６ではなく、展開されたファイバ９１０上に生じ、場所Ａ  ９１４におけるＴＸ−２  ９１８からの信号が、計画されたファイバ９０８ではなく、展開されたファイバ９０６上で生じるように、受信側送受信機ＲＸ−２  ９０８から送信される制御情報に基づいて再構成される。このように、本教示のハードウェア構成ネットワーク内の光要素の再構成は、高価なヒト介入を伴わずに、設置エラーを補正する。他の設置エラーへの拡張および必要再構成ステップは、ネットワーク構成ならびに障害回復の最新技術の当業者によって広く理解されている。
【００７３】
本教示の一側面は、公知のシステムにおいて現在行われているように、信号がネットワークの受信側に到達するときのみ、構成エラーを検出するのではなく、ネットワークの伝送側において設置エラーを早期に捉える能力である。図１０は、図８のハードウェア構成波長分割多重ネットワーク１０００の実施形態を図示し、設置者は、場所Ａ  １００２内の要素を誤って配線している。具体的には、伝送側送受信機ＴＸ−１  １００６から生じるファイバ１００４は、実際には、ファイバ伝送側受信機ＴＸ−２  １０１２のために計画された、アッド波長選択スイッチ１０１０上の入力１００８に接続されている。さらに、伝送側送受信機ＴＸ−２  １０１２から生じるファイバ１０１４は、伝送側受信機ＴＸ−１  １００６のために計画された、アッド波長選択スイッチ１０１０のための入力１０１６に接続されている。換言すると、送受信機１００６、１０１２からアッド波長選択スイッチ１０１０への接続は、設置エラーにより、計画された展開に関して入力１００８、１０１６上で入れ替わっている。この誤った構成では、始動時、伝送側送受信機ＴＸ−１
１００６からの入力１０１６上に現れる信号をルーティングするように構成される、アッド波長選択スイッチ１０１０は、代わりに、そのポート１０１６上の送受信機ＴＸ−２
１０１２から信号を受信する。アッド波長選択スイッチ１０１０によって検出された低周波数制御信号上に提供されるエンコードされた構成情報は、このエラーがアッド波長選択スイッチ１０１０内で直ちに検出されるようにする。いくつかの動作方法では、エラーは、ハードウェア構成ネットワークに、クライアントまたは第三者マネージャに配線が固定される必要があることを通知させることによって、是正されることができる。他の自動動作方法では、ハードウェア構成ネットワークは、送受信機１００６、１０１２を自動的に再構成するか、またはアッド波長選択スイッチ１０１０を自動的に再構成する。自動再構成は、エラーを検出した光要素からのエラーを是正するように再構成されることができる光要素に送信される制御情報に基づいて開始される。
【００７４】
本教示の一側面は、低コストマルチ送受信機コンバイナ−スプリッタを提供する能力である。図１１は、本教示によるハードウェア構成要素を備えている低コストコンバイナ−スプリッタ１１００の実施形態を図示する。複数の送受信機１１０２、１１０２’が、複数の光ファイバ１１０４、１１０４’を使用して、受動コンバイナ１１０６に接続される。受動コンバイナ１１０６は、任意の数のポートを含むことができる。例えば、受動コンバイナ１１０６は、１６ポート（１６：１）受動コンバイナであることができる。
【００７５】
受動コンバイナ１１０６の出力は、光ファイバ１１０８を用いて光増幅器１１１０に光結合される。光増幅器１１１０は、１６：１コンバイナに対して約１３ｄＢであるコンバイナ１１０６の損失を克服するために使用される。光増幅器１１１０は、低コストエルビウム添加ファイバ増幅器であることができ、それは、広く利用可能である。例えば、一実施形態では、光増幅器１１１０は、各送受信機１１０２、１１０２’に対して０ｄＢｍの起動電力と、増幅器１１１０からの出力電力が１２ｄＢｍであるように、コンバイナ損失を克服するための十分な増幅器利得とを有する。光増幅器１１１０の出力は、光ファイバ１１１２を用いて、光スプリッタ−コンバイナ１１１４に光結合される。光スプリッタ−コンバイナ１１１４は、複数の送受信機１１１８、１１１８’に光結合される複数の光出力１１１６、１１１６’を含む。
【００７６】
種々の実施形態では、送受信機１１０２、１１０２’および送受信機１１１８、１１１８’は、伝送または受信モードのいずれかで動作する。例えば、１つの動作方法では、送受信機１１０２、１１０２’は、伝送モードで動作し、送受信機１１１８、１１１８’は、受信モードで動作する。別の動作方法では、送受信機１１０２、１１０２’は、受信モードで動作し、送受信機１１１８、１１１８’は、伝送モードで動作する。
【００７７】
送受信機１１０２、１１０２’、送受信機１１１８、１１１８’、および増幅器１１１０の一部または全部は、本明細書に説明される低周波数変調を使用して構成される。本教示のハードウェア構成ネットワークの１つの特徴は、全構成情報が低周波数制御信号によって提供されることができるので、ファイバ順序を記録する必要、または特定の送受信機接続をマークする必要がないことである。構成情報は、波長可変チャネルの自動プロビジョニングを可能にし、送受信機間の全データ接続を確立する。
【００７８】
いくつかの公知の光送受信機は、デジタル診断監視インターフェース（ＤＤＭＩ）を介して、デジタル診断を提供する。デジタル診断監視インターフェースは、制御情報を規定し、制御情報は、クライアントまたは外部管理システムに渡され、制御情報は、要素識別情報、要素動作パラメータ、ネットワークおよび要素構成情報、アラームおよび警告パラメータ、ならびにベンダ情報等の情報を含む。小型形状因子（ＳＦＰ）光送受信機のためのデジタル診断監視インターフェースは、Ｆｉｎｉｓａｒ  Ｃｏｒｐｏｒａｔｉｏｎ  Ａｐｐｌｉｃａｔｉｏｎ  Ｎｏｔｅ  ＡＮ−２０３０「Ｄｉｇｉｔａｌ  Ｄｉａｇｎｏｓｔｉｃ  Ｍｏｎｉｔｏｒｉｎｇ  Ｉｎｔｅｒｆａｃｅ  ｆｏｒ  Ｏｐｔｉｃａｌ  Ｔｒａｎｓｃｅｉｖｅｒｓ」に詳述されている。
【００７９】
公知のデジタル診断監視インターフェースは、デバイス動作パラメータへのリアルタイムアクセスを可能にするインターフェースデバイスまたは光送受信機、ならびに動作パラメータが正常範囲外であるとき、ユーザにアラートするアラームおよび警告フラグを備えている。公知のデジタル診断監視インターフェースデバイスは、内部で監視されるアナログ信号のデジタル化によって、診断データを生成する。較正およびアラーム閾値データは、典型的には、インターフェースデバイス製造中に書き込まれる。内部アナログ値のデジタル読み取り値の生成に加え、公知のデジタル診断監視インターフェースデバイスは、現在の値および工場事前設定値との比較に基づいて、種々のステータスビットを生成する。公知のデジタル診断監視インターフェースデバイスは、識別子情報も生成する。
【００８０】
本教示のハードウェア構成ネットワークの別の側面は、拡張デジタル診断監視を提供することである。本教示のハードウェア構成ネットワークのいくつかの実施形態は、本明細書に説明される低周波数制御信号の一部として、デジタル診断監視インターフェース制御情報を提供する。特に、低周波数制御情報は、本明細書に説明される低周波数制御信号の一部であり、送受信機要素の送信機コンポーネントに対する特定の情報を提供するデータフィールドを含むことができる。例えば、低周波数情報信号は、送信機を備えている送受信機要素のための１つ以上の送信機製造番号および／または特定の送受信機要素のための送信機チャネル識別番号を含むことができる。送信機チャネル識別番号は、レーザ送信機が調整される波長および／またはチャネル数を提供する。本明細書に説明される低周波数情報信号は、送受信機要素の受信機コンポーネントに対する情報を含むこともできる。例えば、低周波数情報信号は、受信機を備えている送受信機要素のための１つ以上の受信機製造番号および／または特定の送受信機要素のための受信機チャネル識別番号を含むことができる。
【００８１】
本教示のハードウェア構成ネットワークの別の側面は、送受信機、増幅器、波長フィルタ、光チャネルモニタ、波長選択スイッチ、波長マルチプレクサ、波長デマルチプレクサ、クロスコネクト装置、および光スイッチ等の要素と構成情報を交換することによって、拡張デジタル診断を提供することができることである。拡張デジタル診断情報は、本教示の光制御信号上でエンコードされた制御情報として使用される。本教示の光制御信号の使用は、適切な光キャリヤを選択することによって、従来技術の構成システムと比較して、ハードウェア構成ネットワーク内の種々の光要素に到達するための能力に追加の柔軟性を提供する。本教示のハードウェア構成ネットワークのいくつかの実施形態では、ハードウェア構成可能要素は、本明細書に説明される低周波数制御信号をデコードするフォトダイオードを含む。
【００８２】
当業者は、本教示によるハードウェア構成可能要素が種々の目的のために使用されることができることを理解されるであろう。例えば、いくつかの実施形態では、ハードウェア構成可能光増幅器は、送受信機送信機がアクティブになる前に、ネットワーク調整成のために使用されることができる。さらに、いくつかの実施形態では、ハードウェア構成可能増幅器は、光経路雑音計算に依存する光利得を有するように構成可能である。さらに、いくつかの実施形態では、ハードウェア構成可能増幅器利得プロファイルは、遠隔送受信機からのチャネル構築に基づいて調節される。さらに、いくつかの実施形態では、ハードウェア構成可能増幅器は、光利得に関する情報を送受信機に伝送することができる。
【００８３】
さらに、いくつかの実施形態では、ハードウェア構成可能波長選択スイッチポートは、データトラフィックに応じて必要とされる柔軟なチャネル計画で構成および再構成される。さらに、いくつかの実施形態では、ハードウェア構成可能波長選択スイッチは、不具合後、ネットワーク内の光経路を再構成することによって、障害からのネットワーク保護を提供するために使用される。さらに、いくつかの実施形態では、ハードウェア構成可能光プログラマブルフィルタは、ハードウェア構成可能送受信機要素によって提供される性能情報に基づいて、ユーザまたは外部ネットワーク管理介入を伴わずに、経路分散を自動的に調節する。
【００８４】
さらに、いくつかの実施形態では、ハードウェア構成可能光チャネルモニタは、本明細書に説明される低周波数制御信号を使用して較正される。図８を参照すると、高精度チャネルモニタ８３０、８３２を追加し、本教示のハードウェア構成ネットワーク内の拡張デジタル診断制御情報を使用することによって、ネットワーク内で使用される送受信機は、より高い総光転送レートおよびスペクトル効率のために、より緊密に調整され間隔を置かれることができる。
【００８５】
（均等物）
本出願人の教示は、種々の実施形態と併せて説明されるが、本出願人の教示をそのような実施形態に限定することを意図するものではない。対照的に、本出願人の教示は、当業者によって理解されるように、本教示の精神および範囲から逸脱することなく、本明細書に行われ得る、種々の代替、修正、ならびに均等物を包含する。
【図１Ａ】
2020036369.tif 000003
【図１Ｂ】
2020036369.tif 000004
【図１Ｃ】
2020036369.tif 000005
【図１Ｄ】
2020036369.tif 000006
【図１Ｅ】
2020036369.tif 000007
【図２Ａ】
2020036369.tif 000008
【図２Ｂ】
2020036369.tif 000009
【図３Ａ】
2020036369.tif 000010
【図３Ｂ】
2020036369.tif 000011
【図４】
2020036369.tif 000012
【図５】
2020036369.tif 000013
【図６】
2020036369.tif 000014
【図７】
2020036369.tif 000015
【図８】
2020036369.tif 000016
【図９】
2020036369.tif 000017
【図１０】
2020036369.tif 000018
【図１１】
2020036369.tif 000019
【外国語明細書】
2020036369000001.pdf